(57)【要約】      （修正有）【課題】被着した帽子等が、鍔縁に強風を受けても頭部から飛ばされない、構成部材や組み立て作業等が簡素で、製作コストが安価な着脱可能な帽子等の着用具を提供する。【解決手段】鉄線、鋼線又は硬鋼線等の線条体を一体的に曲成し、ほぼ直立状としたコーム２の上方を頭部毛髪への差込片２ａとし、下方を脚部２ｂとし、脚部２ｂの一部又は全体に、接着剤３ｂを介して白、赤、黒、青、黄、緑又はその他のカラフルな色彩からなる面状ファスナー３を装着し、リボンＨ１の裏面には、接着剤５ａを介して他の面状ファスナー５を装着している。【選択図】図４
0003119406.tif 000002
【実用新案登録請求の範囲】
【請求項１】
内周縁に汗取りリボンを縫着した帽子、サンバイザー等の着用具であって、
鉄線、鋼線又は硬鋼線等の線条体を一体的に曲成し、ほぼ直立状とした櫛歯状コームの上方を頭部毛髪への差込片とし、下方を脚部とし、該脚部の正面部の一部又は全体に、接着剤又は薄板状の取付片を介して白、赤、黒、青、黄、緑又はその他の色からなる面状ファスナーを装着すると共に、背面部の一部又は全体には、前記面状ファスナーと同色又は異色の補強片を、両面接着テープ又は接着剤を介して貼付し、
前記汗取りリボンの裏面には、接着剤を介して他の面状ファスナーを装着してなることを特徴とする、着脱可能な帽子、サンバイザー等の着用具。
【請求項２】
前記薄板状の取付片の素材が、紙、布、ファイバー、合成樹脂、金属又はこれらの組み合わせからなることを特徴とする、請求項１記載の着脱可能な帽子、サンバイザー等の着用具。
【考案の詳細な説明】
【技術分野】
【０００１】  本考案は、着脱可能な帽子、サンバイザー等の着用具に係り、詳しくは市販され又は既に使用中の、内周縁に汗取りリボンを縫着した鍔縁付きの帽子、サンバイザー等に装着又は離脱可能な着用具に関する。
【背景技術】
【０００２】  近年、ゴルフ、登山、ハイキング等のアウトドアスポーツが隆盛し、多数の人が有害な紫外線を防ぐために、鍔縁付きの帽子、サンバイザー等を被着しているが、天候不順による強風が吹いたり又はスポーツ等による激動で被着した帽子等が頭部から吹き飛ばされる場合がある。【０００３】  この不測の事態を防ぐ従来の方法としては、帽子等の両下側部又はその近傍部位に細紐又はゴム紐等を取り付けておき、帽子等を被着したときにこれを、顎下に括るか掛けて止着している。【０００４】  しかしながら、この方法では見映えが悪いうえに、顔面や顎に違和感や不快感を伴うので、特に若い女性には敬遠されている。この問題解決策として特開平７−４２０１１、実開平５−９４２３５等が提案、開示されている。【０００５】  特開平７−４２０１１は、帽体と顎と表側の飾リボン及び汗取りリボンの上端部に縫着された係止部材からなり、係止部材が金属又はプラスチック製の髪止め、髪飾り等に使用されるコムバンドからなることを特徴としている。【０００６】  実開平５−９４２３５は、帽子の内側に設けてある帯状リングに櫛状の止め具の歯元部が糸によって縫着されている構造であり、櫛状の止め具の好適な実施例としてスプリングコームが例示されている。
【特許文献１】特開平７−４２０１１号公報
【特許文献２】実開平５−９４２３５号公報
【考案の開示】
【考案が解決しようとする課題】
【０００７】  上記特許文献１及び特許文献２が有する問題点を解決するために、本出願人は、先に実用新案登録願を提出し（実願２００４−４５０３参照）、その実施化を図ったが、種々の問題点があることが判明した。【０００８】  実願２００４−４５０３の要旨は、着用具１は、帽子Ｃの帽体Ｃ１の内周縁に縫着された汗取りリボンＣ２と帽体Ｃ１との空隙Ｃ４に挿入し、保持されるもので、硬質樹脂材からなる取付基板２と、コーム体３を屈曲して形成した、差込み片及び取付け片５、６、７からなることを特徴としている。【０００９】  実願２００４−４５０３の問題点の１は、硬質樹脂材からなる取付基板２にコーム体３の差込み片の下端部を接着剤を介して固定させる作業が、極めて困難で作業性が悪いことであり、その２は、コーム体３を屈曲して取付け片５、６、７を形成するために、別途屈曲用の治具等を製作しなければならないし、その作業も手作業であり著しく生産効率が悪い。また取付け片５、６、７の汗取りリボンＣ２への装着が煩瑣でかつ取付け片５、６、７が額部に当接する違和感があり、当初の目的であった部材やその組み立て構造を簡素にし、製作コストを安価とすることが達成されない。【００１０】  本考案の目的は、上記の特許文献１、特許文献２及び実願２００４−４５０３が有する種々の課題を解消し、被着した帽子等が、かなりの強風を受けても頭部から吹き飛ばされることがなくまた、構成部材や組み立て作業等を簡素とし、製作コストが安価な着脱可能な帽子、サンバイザー等の着用具を提供することにある。
【課題を解決するための手段】
【００１１】  上記の課題を解決するための第１の考案は、内周縁に汗取りリボンを縫着した帽子、サンバイザー等の着用具であって、鉄線、鋼線又は硬鋼線等の線条体を一体的に曲成し、ほぼ直立状とした櫛歯状コームの上方を頭部毛髪への差込片とし、下方を脚部とし、該脚部の正面部の一部又は全体に、接着剤又は薄板状の取付片を介して白、赤、黒、青、黄、緑又はその他の色からなる面状ファスナーを装着すると共に、背面部の一部又は全体には、前記面状ファスナーと同色又は異色の補強片を、両面接着テープ又は接着剤を介して貼付し、前記汗取りリボンの裏面には、接着剤を介して他の面状ファスナーを装着してなることを特徴としている。【００１２】  第２の考案は、請求項１記載の着脱可能な帽子、サンバイザー等の着用具にあって、前記薄板状の取付片の素材が、紙、布、ファイバー、合成樹脂、金属又はこれらの組み合わせからなることを特徴としている。
【考案の効果】
【００１３】  本考案に係る、着脱可能な帽子、サンバイザー等の着用具は、上記の構成になるから以下の効果を奏する。即ち、第１及び第２の考案によれば、公知技術により、鉄線、鋼線又は硬鋼線等の線条体が一体的に曲成され、ほぼ直立状とした櫛歯状コームの上方部を頭部毛髪への差込片とし、下方を脚部とし、該脚部の一部又は全体に、両面接着テープ又は薄板状の取付片を介して白、赤、青、黄、緑又はその他の色からなる面状ファスナーの一側を装着し、前記汗取りリボンの裏面には前記面状ファスナーの他側を装着してなるから、櫛歯状コームと帽子等の汗取りリボンは強く固定され、帽子等の鍔部にかなりの強風を受けても、差込片が頭部毛髪に食い込むので帽子等が頭部から吹き飛ばされることがない。また市販されている櫛歯状コーム、両面接着テープ、薄板状の取付片及び面状ファスナー等の部材を使用し、その組み付け作業も簡素であるから、製作コストが安価となり、また白、赤、黒、青、黄、緑又はその他のカラフルな色彩からなる面状ファスナーが需要者の関心を高めるから、販売促進に寄与する。また取付片の素材は、紙、布、ファイバー、合成樹脂、金属又はこれらの組み合わせからなる薄板状としているので、面状ファスナーへの装着が容易であるという効果も併せ有する。
【考案を実施するための最良の形態】
【００１４】  以下、本考案に係る、着脱可能な帽子、サンバイザー等の着用具（以下、着用具１という）に関する好適な実施形態について、図面を参照しながら説明する。図１は、着用具１を帽子Ｈに着装した状態を示す一部切欠斜視図で、図２は着用具１の正面図、図３は図２における３−３線断面図、図４は着用具１を帽子Ｈの汗取りリボンに取り付けた状態を示す断面図、図５は、他の実施形態を示す断面図である。【００１５】  着用具１は、図１〜図４に示すように、帽子Ｈの内周縁に縫着された汗取りリボンＨ１（以下、リボンという）と帽体Ｈ２との空隙１ａに装着して使用するもので、図２において、２は櫛歯状コーム（以下、コームという）で、鉄線、鋼線又は硬鋼線等の線条体を一体的に曲成し、ほぼ直立状とされ、その全高の中間部位より上方を先端部が先細状に形成された差込片２ａとし、下方を脚部２ｂとしている。【００１６】  ３は、面状ファスナーで例えば、フックとループが同一面に植設されているフリーマジック（登録商標）が好適で、ファスナー部３ａの裏面には離型紙（不図示）を介して接着剤３ｂが塗布されており、該接着剤３ｂの塗布巾面のほぼ上半分でコーム２の脚部２ｂに貼付される。４は前記面状ファスナー３の補強と装飾目的の、同巾、同寸法の補強片で、離型紙（不図示）を介して接着剤４ａが塗布されており、該接着剤４ａの塗布巾面のほぼ上半分でコーム２の脚部２ｂに貼付され、下半分は、前記面状ファスナー３の下半分と貼着されている。５はリボンＨ１の裏面上部に接着剤５ａを介して貼付された面状ファスナーである。３０のようにコーム２の脚部２ｂに部分的に貼付してもよい。【００１７】  着用具１を帽子Ｈ又はサンバイザー等に着装するには、図４に示すように帽子Ｈ等のほぼ中心部のリボンＨ１の裏面Ｈ１ａに、接着剤５ａを介して貼付された面状ファスナー５を、離型紙（不図示）を剥離して、該面状ファスナー５を押圧して固着した後、コーム２の脚部２ｂに接着剤３ｂを介して貼付された面状ファスナー３を、指先等で図３に示す矢印方向に押圧すれば、着用具１はリボンＨ１に固着される。なお、帽子Ｈ等の洗浄するときは、一方の手でリボンＨ１に固着された面状ファスナー５の端部の一端を掴み、これに対応する部位を、他方の手でコーム２の脚部２ｂに貼付された面状ファスナー３を牽引すれば、両ファスナー３と５は容易に離反し、帽子Ｈ等は面状ファスナー５を装着した状態で、洗浄できる。【００１８】  図５は第２の実施形態を示し、コーム２’の脚部２’ｂに紙、布、ファイバー、合成樹脂、金属又はこれらの組み合わせからなる、薄板状の取付片６の上方部を接着剤等で固定し、該取付片６に面状ファスナー３’を接着剤３ｂにより貼付すると共に、コーム２’の脚部２’ｂ裏面には、補強片４’が貼着されている。またリボンＨ１’の裏面上部には接着剤５’ａを介して面状ファスナー５’が固着されている。【００１９】  その使用は、図４に示す第１の実施形態とほぼ同様で、リボンＨ１’の裏面Ｈ１’ａに接着剤’５’ａを介して貼付された面状ファスナー５’を、離型紙（不図示）を剥離して、該面状ファスナー５’を押圧して固着した後、コーム２’の脚部２’ｂに接着剤３’ｂを介して貼付された面状ファスナー３’を、指先等で図５に示す矢印方向に押圧すれば、着用具１’はリボンＨ１’に固着される。
【図面の簡単な説明】
【００２０】
【図１】本考案に係る、着脱可能な帽子、サンバイザー等の着用具１を、帽子Ｈに装着した状態を示す、一部切欠斜視図である。
【図２】着用具１の裏面図である。
【図３】図２における３−３線断面図である。
【図４】着用具１を帽子Ｈの汗取りリボンに取り付けた状態を示す断面図である。
【図５】第２の実施形態を示す断面図である。
【符号の説明】
【００２１】Ｈ                          帽子
Ｈ１                        リボン
Ｈ２                        帽体
１                          着用具
１ａ                        空隙
２                          コーム
２ａ                        差込片
２ｂ                        脚部
３                          面状ファスナー
３ａ                        ファスナー部
３ｂ                        接着剤
４                          補強片
５                          面状ファスナー
５ａ                        接着剤
６                          取付片
【図１】
0003119406.tif 000003
【図２】
0003119406.tif 000004
【図３】
0003119406.tif 000005
【図４】
0003119406.tif 000006
【図５】
0003119406.tif 000007